(57)【特許請求の範囲】
【請求項１】
景品を並べて載置する景品載置部と、
前記景品載置部上の景品に当接して、景品を前記景品載置部上より落とす景品落とし手段を備えた景品落とし装置と、
前記景品落とし装置を景品に相対する位置へ移動させる移動手段と、
前記景品落とし手段の動作および前記移動手段を制御する操作手段とを備え、
前記景品落とし手段は、
細長部材を有する突き出し機構を備えたこと
を特徴とする景品取得ゲーム機。
【請求項２】
前記景品落とし手段の細長部材は、
可撓性を有する偏平形状をした金属板として、前記景品落とし装置内に巻き取り可能に設けられていること
を特徴とする請求項１記載の景品取得ゲーム機。
【請求項３】
前記景品載置部は、
中央に景品落とし穴を設けた回転盤であること
を特徴とする請求項１又は２のいずれか１項に記載の景品取得ゲーム機。
【請求項４】
前記回転盤を同一軸上に高さを変えて少なくとも２段以上に構成したこと
を特徴とする請求項３記載の景品取得ゲーム機。
【請求項５】
前記回転盤のうち少なくとも一つの回転盤の回転速度をその他の回転盤と異ならせる機構を有すること
を特徴とする請求項４記載の景品取得ゲーム機。
【請求項６】
景品を収容するゲーム空間に、景品を載置する景品載置部と、
伸縮可能に構成され、遊戯者の操作に応じて伸縮し、景品を押し出して前記景品載置部上より落とすための景品落とし手段を備えた景品落とし装置と、
前記景品落とし装置を景品に相対し得る位置に移動させる移動手段と、
前記景品落とし手段の動作及び前記移動手段を制御する操作手段とを備えたこと
を特徴とする景品取得ゲーム機。
【請求項７】
景品を収容するゲーム空間に、景品を載置する複数の景品載置部と、
筒体を複数組み合わせて伸縮可能に構成され、遊戯者の操作に応じて伸縮して景品を前記景品載置部上より落とすためのアームを備えた景品落とし手段を備えた景品落とし装置と、
前記景品落とし装置を景品に相対し得る位置に移動させる移動手段と、
前記景品落とし手段の動作及び前記移動手段を制御する操作手段とを備えたこと
を特徴とする景品取得ゲーム機。
【請求項８】
景品を収容するゲーム空間に、景品を載置する複数の景品載置部と、
伸縮可能に構成され、遊戯者の操作によって伸び、景品を押し出して前記景品載置部上より落とすための景品落とし手段を備えた景品落とし装置と、
前記景品落とし装置を景品に相対し得る位置に移動させる移動手段と、
前記景品落とし手段の動作及び前記移動手段を制御する操作手段と、
前記景品落とし手段により押し出されて前記景品載置部から落ちた景品を取り出す景品取り出し口とを備えたこと
を特徴とする景品取得ゲーム機。
【発明の詳細な説明】
【０００１】
【発明の属する技術分野】
本発明は遊技場等に設置され、遊戯者が機械を操作して景品を落として取得する景品取得ゲーム機に関するものである。
【０００２】
【従来の技術】
従来から遊技場等に設置される景品取得ゲーム機としては、実公平４−４８２３３に見られる様なゲーム空間内に景品を載置する回転盤と、この回転盤と平行な面に設けられた回動可能な景品落としアームを有し、ゲームプレイヤーが機体外に設けられたボタンを操作してアームを回動させ回転盤上の景品を落下させて取得できるようにしたものがある。
【０００３】
又、実公平３−４２９４９の図７に見られる様な、透明なガラス等に囲まれたゲーム空間内で、前後左右に移動可能な伸縮パイプの端部に支持固定された把持つめ装置を、ゲームプレイヤーが機体外のボタンを操作して任意の位置に移動させた後、伸縮パイプを介して自動的に下降する把持つめにより遊戯機内に載置された所定の景品を取得できるようにしたものがある。
【０００４】
【発明が解決しようとする課題】
しかしながら上記従来技術のうち、まずアームを回動させて景品を落下させるゲーム機は、回転盤に多数載置された景品を、回動可能な景品落としアームの位置を切り換える事によって、複数ある景品の何れかにアームが当接することにより各景品の位置がずれ、結果として回転盤から落下する景品を取得できるようになっているため、景品を取得できる場合は偶然性が高く、プレイヤーが欲しい景品を直接狙うことができないものであった。
【０００５】
また、もう一つの把持つめを使用したゲーム機については、ゲーム空間内の床面に景品を積み上げるため景品の見栄えが悪く、しかも積み重ねられた景品内下方に配置された景品は取りにくいため、プレイヤーは自分が欲しい景品を１回目のプレイから直接狙うことは不可能で、邪魔になる他の景品を退かさなければならなかった。
【０００６】
このため、プレイヤーは例え欲しい景品があってもゲームに挑戦する意欲が半減したり、プレイを諦める結果となっていた。
【０００７】
本発明はこれらの問題点を解決し、以下に記載する目的を達成するために為されたものである。
【０００８】
第一の目的はプレイヤーが欲しいと思う景品を直接狙うことができ、プレイヤーの目からはどの景品も取得難易度が等しく、容易に景品取得が可能に見えるような景品取得ゲーム機を提供することにある。
【０００９】
第二の目的は景品落とし手段を一つの景品に対して確実に対応できる景品取得ゲーム機を提供することにある。
【００１０】
第三の目的は簡単にはプレイヤーに景品を取得させないようなゲーム性を備えた景品取得ゲーム機を提供することにある。
【００１１】
第四の目的は複数のプレイヤーが同時にゲーム可能な景品取得ゲーム機を提供することにある。
【００１２】
第五の目的は景品載置の見栄えが良く、多くの景品を載置できる景品取得ゲーム機を提供することにある。
【００１３】
第六の目的は複数設けた回転盤ごとに難易度を変化させることにある。
【００１４】
【課題を解決するための手段】
本発明は上記した点に鑑みなされたもので、景品を並べて載置する景品載置部と、前記景品載置部上の景品に当接して、景品を前記景品載置部上より落とす景品落とし手段を備えた景品落とし装置と、前記景品落とし装置を景品に相対する位置へ移動させる移動手段と、前記景品落とし手段の動作および前記移動手段を制御する操作手段とを備え、前記景品落とし手段は、細長部材を有する突き出し機構を備えたことを特徴とする。
【００１５】
以上のような請求項１の発明では、プレイヤーが操作したい景品落とし装置に対応している操作手段を操作すると、まず、移動手段により景品落とし装置が、プレイヤーが狙う景品に相対し得る任意の位置へ移動される。そして更に操作手段を操作することによって景品落とし手段が、プレイヤーが狙った景品を落とすべく作動し、当該景品に当接する。よってプレイヤーは自分の欲しい景品を直接狙えることができる。また、景品落とし手段を細長部材から成る突き出し機構にしたので景品落とし装置を確実に一つの景品に対応させることができる。したがってプレイヤーは景品に対して狙いを付けやすい。
【００１８】
請求項２の発明は、請求項１の景品取得ゲーム機において、前記景品落とし手段の細長部材は、可撓性を有する偏平形状をした金属板として、前記景品落とし装置内に巻き取り可能に設けられていることを特徴とする。
【００１９】
以上のような請求項２の発明では、景品落とし手段の細長部材を、可撓性を有する偏平形状をした金属板としているので、景品が回転盤によって移動し細長部材に対し横方向から当接したときでも容易に折れ曲がる事ができる。したがって回転する景品の邪魔にならない上、プレイヤーには簡単に景品を取得されないようにすることができる。
【００２０】
請求項３の発明は、請求項１又は２のいずれか１項に記載の景品取得ゲーム機において、前記景品載置部は、中央に景品落とし穴を設けた回転盤であることを特徴とする。
【００２１】
以上のような請求項３の発明では、景品載置部を中央に景品落とし穴を設けた回転盤としたので、景品落とし装置をその周囲に複数配置することができる。したがって一度に多数人でゲームをすることができる。
【００２２】
請求項４の発明は、請求項３の景品取得ゲーム機において、前記回転盤を同一軸上に高さを変えて少なくとも２段以上に構成したことを特徴とする。
【００２３】
以上のような請求項４の発明では、回転盤を同一軸上に高さを変えて少なくとも２段以上に構成したので景品載置の見栄えを良くすることができる上、ゲーム空間を有効に使い景品を多く載置することができる。
【００２４】
請求項５の発明は、請求項４の景品取得ゲーム機において、前記回転盤のうち少なくとも一つの回転盤の回転速度をその他の回転盤と異ならせる機構を有することを特徴とする。
【００２５】
以上のような請求項５の発明では、高さを変えて２段以上に構成した回転盤のうち、少なくとも一つの回転盤の回転速度を異ならせる機構を持っているので、各回転盤ごとに景品取得難易度に変化を持たせることができる。
請求項６の発明は、景品を収容するゲーム空間に、景品を載置する景品載置部と、伸縮可能に構成され、遊戯者の操作に応じて伸縮し、景品を押し出して前記景品載置部上より落とすための景品落とし手段を備えた景品落とし装置と、前記景品落とし装置を景品に相対し得る位置に移動させる移動手段と、前記景品落とし手段の動作及び前記移動手段を制御する操作手段とを備えたことを特徴とする。
以上のような請求項６の発明では、プレイヤーが操作したい景品落とし装置に対応している操作手段を操作すると、まず、移動手段により景品落とし装置が、プレイヤーが狙う景品に相対し得る任意の位置へ移動させる。よってプレイヤーは自分の欲しい景品を直接狙えることができる。また、景品落とし手段を伸縮可能に構成され、遊戯者の操作に応じて伸縮し、景品を押し出して前記景品載置部上より落とすようにしたので景品落とし装置を確実に一つの景品に対応させることができる。したがってプレイヤーは景品に対して狙いを付けやすい。
更に、請求項７の発明は、景品を収容するゲーム空間に、景品を載置する複数の景品載置部と、筒体を複数組み合わせて伸縮可能に構成され、遊戯者の操作に応じて伸縮して景品を前記景品載置部上より落とすためのアームを備えた景品落とし手段を備えた景品落とし装置と、前記景品落とし装置を景品に相対し得る位置に移動させる移動手段と、前記景品落とし手段の動作及び前記移動手段を制御する操作手段とを備えたことを特徴とする。
以上のような請求項７の発明では、景品落とし手段を筒体を複数組み合わせて伸縮可能に構成され、遊戯者の操作に応じて伸縮して景品を前記景品載置部上より落とすためのアームを備えたものにしたので、景品落とし装置を確実に一つの景品に対応させることができる。したがって、プレイヤーは景品に対して狙いをつけやすい。
更に、請求項８の発明は、景品を収容するゲーム空間に、景品を載置する複数の景品載置部と、伸縮可能に構成され、遊戯者の操作によって伸び、景品を押し出して前記景品載置部上より落とすための景品落とし手段を備えた景品落とし装置と、前記景品落とし装置を景品に相対し得る位置に移動させる移動手段と、前記景品落とし手段の動作及び前記移動手段を制御する操作手段と、前記景品落とし手段により押し出されて前記景品載置部から落ちた景品を取り出す景品取り出し口とを備えたことを特徴とする。
以上のような請求項８の発明では、景品落とし手段を伸縮可能に構成され、遊戯者の操作によって伸び、景品を押し出して前記景品載置部上より落とすようにしたので、景品落とし装置を確実に一つの景品に対応させることができる。したがって、プレイヤーは景品に対して狙いをつけやすい。
【００２６】
【発明の実施の形態】
以下、本発明の一つの実施の形態を図面にしたがって説明する。
【００２７】
図１は４人で遊戯可能な景品取得ゲーム機１の全体を示した図である。もちろん１人用のゲーム機としても良いが、複数でゲームを行えるようにすれば他のプレイヤーと競争ができたり、遊技場でのスペースも有効に使うことができるので４人用とした。ゲーム機本体は透明なガラス２等で囲まれたゲーム空間２を形成しており、内部を見ることができるようになっている。
【００２８】
ゲーム空間底面４には円形の景品落とし口５が開口され、その円周部には４本の回転盤支持軸６が立設されており、各回転盤支持軸６には回転盤９を支持するための回転盤受け部７が１本の回転盤支持軸６につき４箇所に設けられている。各回転盤受け部７には、中央に景品落とし口５と同径の景品落とし穴８が開けられたドーナツ形状の回転盤９が、その内周部を支持されて設けられている。回転盤支持軸６のうちの１本は回転盤駆動装置１０となっており、図２に示すとおり下部に設けられたモータ１１により回転し、回転盤９の内周部に直接作用して動力を伝達し回転盤９を常時回転させている。
【００２９】
本実施の形態では景品載置部を回転盤としているが、直列形状の平板を往復させたり循環タイプのコンベヤで構成してもよい。又、景品載置部自体は固定式としてもよい。
【００３０】
各回転盤９にはそれぞれぬいぐるみ等の景品１２が載置されている。図１では４枚ある回転盤９のうちの１枚のみにその様子を示してある。
【００３１】
回転盤９の周囲には回転盤支持軸６と平行に、上下に延びる支柱１３が２本１組で４組が下部のモータ１４によって回動可能に立設され、景品落とし装置１５がその支柱１３に沿って移動可能なように、その両端を支柱１３によって貫通されるようにして設置されている。景品落とし装置１５はその２本ある支柱１３のうちの１本が回転することにより動力を伝えられて上昇するように構成されている。さらに、景品落とし装置１５には内部より突き出される細長形状の景品押し部材１６が収容されており、景品落とし装置１５から突出させる事により景品１２を景品落とし穴８方向に押圧できるようになっている。
【００３２】
機体外側面の、それぞれの景品落とし装置１５に対応する箇所にはコイン投入口１７と操作ボタン１８を備えた操作パネル１９が設置されており、各操作ボタン１８で景品落とし装置１５の上昇及び景品押し部材１６の押し出し操作を行なう。
【００３３】
また、景品落とし装置１５の下方には、前記回転盤９から落下した景品を取り出せるように景品取り出し口２０が設けられている。
【００３４】
図３は景品取得ゲーム機１の断面図であるが、図に示すように回転盤９の表面には凹部２１が形成されていて景品１２がむやみに転がったり横流れしないようになっているとともに、回転盤９を景品１個分づつ区切っているため景品１２を並べやすくなっている。そこに一つづつ景品１２を並べた場合プレイヤーは欲しい景品に対して狙いをつけ易くなっている。又、凹部２１の代わりにストッパ等を用いてもよい。しかしそれだけでは簡単に景品を落とすことができるのでゲームとしての面白みに欠ける。
【００３５】
そこでゲーム性を高めるため景品押し部材１６を可撓性のある薄い金属板２２で構成した。
【００３６】
図４は景品落とし装置１５を示す斜視図であるが、景品押し部材１６は普段は景品落とし装置１５内のドラム２３によって巻き取られているが、プッシュボタン１８ｂが押圧された場合には景品落とし装置１５内の駆動装置２４が作用してドラム２３が回転し、景品落とし装置１５外へ金属板２２が押し出される。金属板２２はわずかな反りがあるコンベックスを縦にして設けてあり、ドラム２３には反りを伸ばした状態で巻き取られているが、押し出された場合その部分の反りが回復しようとする力のためある程度の剛性が得られ、景品押し部材１６の重さのみで曲がることなく真っすぐに突き出される。又、突き出される金属板２２の先端には景品当接部２５があり、金属板２２のみの場合より景品１２に力を伝えやすくしている。
【００３７】
景品押し部材１６を可撓性を有する金属板２２を縦にして構成したので縦方向の力には強いが、横方向の力には曲がりやすくなっている。よって図６に示すとおり、金属板２２が延び切ったところに横方向から景品１２が当接した時は容易に折れ曲がり、景品１２の回転を邪魔することはない。
【００３８】
景品押し部材１６は上記実施の形態のほか棒材を使用しそれをモーター等によって押し出す様にしてもよいが、この方法だと押し出される方向とは反対側に棒材の長さと同じだけのスペースを用意しなくてはならない。また、自動車のアンテナのように中空の筒体をいくつか組み合わせた伸縮ポールをモーターで押し出す様にしてもよい。
【００３９】
景品落とし装置１５の移動や景品押し部材１６の押し出しには、装置内にモーター等を組み込んで作動する様にしてもよいが、これでは重量が嵩む上電源を確保しなければならないが、本実施の形態は以下の通り構成した。
【００４０】
図５は景品落とし装置１５の内部を簡略化して示した図であるが、景品落とし装置１５の移動は景品落とし装置１５内の移動装置２６によって行なわれ、２本ある支柱１３のうちの１本の回転運動を直線運動に変換して伝達する。また景品押し部材１６の押し出しは、金属板２２を巻き取ってあるドラム２３をギア２７を介して回すことによって回転させて行なう。ドラム２３を回転させるためのギア２７はもう一方の支柱１３に貫通固定されており支柱１３が回転するとギア２７も回転する。なお、支柱はＤカット軸となっているので空回りする事なく確実に動力を伝える事ができる。これにより景品落とし装置１５をそれ自体電源の確保をせずに動かすことができる。
【００４１】
さて、実際に上記景品取得ゲーム機１で遊ぶ場合、プレイヤーがコイン投入口１７に硬貨を投入すると遊戯可能状態となり、操作ボタン１８が内蔵の電球により点滅したり、景品落とし装置１５内のＬＥＤ２８が点灯したりしてプレイヤーに遊戯可能な状態であることを知らせる。
【００４２】
この状態でまずプレイヤーは自分の欲しい景品が載っている層の回転盤９を目指して景品落とし装置１５を上昇させる。はじめ景品落とし装置１５は待機部２９にて待機しているが、プレイヤーが上昇ボタン１８ａを押すとボタンを押している間景品落とし装置１５は移動装置２６の駆動力を受け上昇をつづけ、ボタンを離すとその時点で停止する。次いで自分の欲しい景品が回転盤９の回転によって景品落とし装置１５の前にきた時に、タイミングを見計らってプッシュボタン１８ｂを押すと景品落とし装置１５に内蔵された駆動装置２４により、景品落とし装置１５内に巻き取られている景品押し部材１６が回転盤９の景品落とし穴８のドラムが逆回転し、景品押し部材１６は再び巻き取られる。
【００４３】
景品押し部材１６が伸びる際に景品押し部材１６の先端が回転盤９上の景品１２にタイミング良く当接すると、景品押し部材１６が伸びるに従い景品１２が回転盤９上より押し出されて景品落とし穴８から落ちる。景品落とし穴８は仕切り板３０で４分割されて各々に景品通路３１を形成しているので、プレイヤーが落とした景品はその景品通路３１を通ってプレイヤーが操作している景品落とし装置１５の下にある景品取り出し口２０へ導かれ、プレイヤーはその景品を取得することができる。
【００４４】
ただし、景品押し部材１６は可撓性を有する金属板２２で構成されているため、景品の重心をうまく突かないと景品を落とすことはできない。一連の動作が終了すると、景品落とし装置１５は下降し待機部２９に戻る。
【００４５】
各回転盤９を回転させる際に回転の速度を変えることにより、回転盤９ごとに景品の取得難易度を変えられるため、速度の早い回転盤９には高価な景品を載せ遅い回転盤９には安価な景品を載せるなどしてゲーム内容に幅を持たせることができる。また、回転方向は全て同じ方向に回転するのではなく回転盤によって方向を逆にしてもよい。
【００４６】
本実施の形態では景品載置部を回転させると共に景品落とし装置を移動して、景品と景品落とし装置を相対させる様構成したが、ゲーム性や難易度を考慮し、景品載置部か景品落とし装置のどちらか一方のみを移動させて、景品と景品落とし装置を相対する様にしてもよい。
【００４７】
また、別の実施の形態として景品落とし装置をゲーム機内の上部より吊り下げる形で、プレイヤーの所望の位置へ移動可能にしたり、景品落とし部を縦方向に回動可能なアームを引っ掛け具で手前に落とすように構成してもよい。
【００４８】
【発明の効果】
以上詳述したように、この発明によると景品落とし装置を景品と相対する位置に移動させる事ができるので、遊戯者が欲しいと思う景品を直接狙うことができると共に、景品落とし手段を細長部材としたことにより、景品落とし手段を一つの景品に対して確実に対応させることができる。
【００５０】
また、細長部材を可撓性を有する偏平形状をした金属板で構成したので、遊戯者にとって一見すると取得しやすそうに見える景品が実は取得しにくいため、ゲーム性を高めることができ、遊戯者の遊戯意欲を向上させる。
【００５１】
また、景品載置部を中央に景品落とし穴を設けた回転盤としたので、景品落とし装置を回転盤の周囲に設けることが可能となり、多人数で遊戯できる景品取得ゲーム機とすることができる。
【００５２】
また、回転盤を多層にしたことによりゲーム空間内を広く利用し景品を並べるため見栄えを良くすることができ、遊戯者の遊戯意欲を高められる上、ゲーム空間を有効に使い景品を多く載置することができる。
【００５３】
また、各回転盤の回転速度を変えることによって、各回転盤ごとの景品取得難易度に変化を持たせることができる。
【図面の簡単な説明】
【図１】本発明を具体化した一つの実施の形態を示す斜視図
【図２】内部機構を示した概略図
【図３】景品落としゲーム機の横断面図
【図４】景品落とし装置の斜視図
【図５】景品落とし装置の内部機構を簡略して示した断面図
【図６】景品押し部材の作用を示した平面図
【図７】従来技術を示した概略図
【符号の説明】
１…景品取得ゲーム機
３…ゲーム空間
５…景品落とし口
６…回転盤支持軸
８…景品落とし穴
９…回転盤
１１，１４…モータ
１２…景品
１３…支柱
１５…景品落とし装置
１６…景品押し部材
１９…操作パネル
【図１】
0003735852.tif 000002
【図２】
0003735852.tif 000003
【図３】
0003735852.tif 000004
【図４】
0003735852.tif 000005
【図５】
0003735852.tif 000006
【図６】
0003735852.tif 000007
【図７】
0003735852.tif 000008